(57)【特許請求の範囲】
【請求項１】
アナログ放送の放送波信号とデジタル放送の放送波信号とが隣接して放送される放送システムのための受信機であって、
受信信号を局部発振信号により中間周波信号に周波数変換するミキサ回路と、
このミキサ回路の出力信号から中間周波信号を取り出すフィルタ回路と、
このフィルタ回路により取り出された上記中間周波信号から上記アナログ放送あるいは上記デジタル放送における放送内容の信号を取り出す復調回路と
を有し、
上記局部発振信号の周波数を、
上記アナログ放送の受信時には、その受信するアナログ放送に隣接するデジタル放送の帯域内における周波数とし、
上記デジタル放送の受信時には、その受信するデジタル放送に隣接するアナログ放送のキャリア周波数に等しい周波数とする
ようにした受信機。
【請求項２】
請求項１に記載の受信機において、
上記フィルタ回路が、上記中間周波信号の中間周波数に等しい中心周波数のバンドパスフィルタである
ようにした受信機。
【請求項３】
請求項１あるいは請求項２に記載の受信機において、
上記アナログ放送の受信時における上記中間周波信号の占有周波数帯域と、上記デジタル放送の受信時における上記中間周波信号の占有周波数帯域とがほぼ一致する
ようにした受信機。
【請求項４】
アナログ放送の放送波信号とデジタル放送の放送波信号とが隣接して放送される放送システムのための受信機であって、
受信信号を局部発振信号により位相が互いに直交する第１および第２の中間周波信号に周波数変換する第１および第２のミキサ回路と、
これら第１および第２のミキサ回路の出力信号から中間周波信号を取り出す第１および第２のフィルタ回路と、
これら第１および第２のフィルタ回路により取り出された上記第１および第２の中間周波信号から上記アナログ放送あるいは上記デジタル放送における放送内容の信号を取り出す復調回路と
を有し、
上記局部発振信号の周波数を、
上記アナログ放送の受信時には、その受信するアナログ放送に隣接するデジタル放送の帯域内における周波数とし、
上記デジタル放送の受信時には、その受信するデジタル放送に隣接するアナログ放送のキャリア周波数に等しい周波数とする
ようにした受信機。
【請求項５】
請求項４に記載の受信機において、
上記第１および第２のフィルタ回路が、上記第１および第２の中間周波信号の中間周波数に等しい中心周波数のバンドパスフィルタである
ようにした受信機。
【請求項６】
請求項４あるいは請求項５に記載の受信機において、
上記アナログ放送の受信時における上記第１および第２の中間周波信号の占有周波数帯域と、上記デジタル放送の受信時における上記第１および第２の中間周波信号の占有周波数帯域とがほぼ一致する
ようにした受信機。
【請求項７】
アナログ放送の放送波信号とデジタル放送の放送波信号とが隣接して放送される放送を受信するためのＩＣであって、
受信信号を局部発振信号により中間周波信号に周波数変換するミキサ回路と、
このミキサ回路の出力信号から中間周波信号を取り出すフィルタ回路と
を有し、
上記局部発振信号の周波数は、
上記アナログ放送の受信時には、その受信するアナログ放送に隣接するデジタル放送の帯域内における周波数とされ、
上記デジタル放送の受信時には、その受信するデジタル放送に隣接するアナログ放送のキャリア周波数に等しい周波数とされ、
上記フィルタ回路により取り出された上記中間周波信号から上記アナログ放送あるいは上記デジタル放送における放送内容の信号が取り出される
ようにしたＩＣ。
【請求項８】
アナログ放送の放送波信号とデジタル放送の放送波信号とが隣接して放送される放送を受信するためのＩＣであって、
受信信号を局部発振信号により位相が互いに直交する第１および第２の中間周波信号に周波数変換する第１および第２のミキサ回路と、
これら第１および第２のミキサ回路の出力信号から中間周波信号を取り出す第１および第２のフィルタ回路とを有し、
上記局部発振信号の周波数は、
上記アナログ放送の受信時には、その受信するアナログ放送に隣接するデジタル放送の帯域内における周波数とされ、
上記デジタル放送の受信時には、その受信するデジタル放送に隣接するアナログ放送のキャリア周波数に等しい周波数とされ、
上記第１および第２のフィルタ回路により取り出された上記第１および第２の中間周波信号から上記アナログ放送あるいは上記デジタル放送における放送内容の信号が取り出される
ようにしたＩＣ。
【発明の詳細な説明】
【０００１】
【発明の属する技術分野】
この発明は、アナログ放送およびデジタル放送を受信するための受信機およびそのＩＣに関する。
【０００２】
【従来の技術】
現行のＡＭ放送やＦＭ放送においては、放送される素材の処理はデジタル化されつつあるが、放送そのものはアナログ方式である。
【０００３】
しかし、放送をデジタル化すれば、高音質の放送を提供できる、付加データサービスなどが可能になる、周波数の利用効率を改善できるなどの理由で、放送そのものもデジタル化するデジタル音声放送（ＤＳＢ）が考えられている。
【０００４】
ところが、デジタル放送を受信するには、とうぜんのことながら、これまでのアナログ放送受信機に代わってデジタル放送受信機が新たに必要になる。このため、アナログ放送からデジタル放送へ抵抗なくスムーズに移行できることが望まれ、その移行期間には、それまでのアナログ放送と、新しいデジタル放送との共存が要求される。
【０００５】
この共存を可能とする放送方式としてＩＢＯＣ方式があるが、このＩＢＯＣ方式においては、アナログ放送とデジタル放送とを、例えば図４Ａに示すような周波数配置とすることにより共存を実現するものである。
【０００６】
すなわち、図４Ａにおいて、符号ＳA は、これまでのアナログのＦＭ放送の放送波信号（ＦＭ信号）を示し、そのキャリア周波数は周波数ｆRXである。そして、このアナログ放送波信号ＳA に対してデジタル放送の放送波信号を共存させるときには、放送波信号ＳA の両側に隣接して、デジタル放送の放送波信号ＳD 、ＳD を配置する。
【０００７】
ただし、放送波信号ＳD 、ＳD は、どちらか一方だけのこともある。また、デジタル放送波信号ＳD のレベルは、アナログ放送波信号ＳA よりも15dB〜20dB程度低くされる。さらに、デジタル放送波信号ＳD による番組内容は、アナログ放送波信号ＳA による番組内容と、一般には同一とされる。
【０００８】
そして、将来的には、アナログ放送波信号ＳA を停波してデジタル放送波信号ＳD だけで放送を行い、あるいは、放送波信号ＳA の周波数帯域をデジタル放送に使用する。なお、アナログ放送からデジタル放送への移行には、10年〜15年がかかると見られている。
【０００９】
【発明が解決しようとする課題】
上記のようなアナログ放送およびデジタル放送の共存に対応する場合には、移行期間から移行後も使用できる受信機、すなわち、アナログ放送もデジタル放送も受信できるハイブリッド受信機が必要となる。
【００１０】
そして、そのハイブリッド受信機は、例えば図５に示すように構成することができる。すなわち、簡単のため、図４Ａに示すアナログ放送波信号ＳA およびデジタル放送波信号ＳD の両方が放送されているとすると、これら信号ＳA 、ＳD がアンテナ１により受信される。そして、この受信信号ＳA 、ＳD が、アンテナ同調回路２→高周波アンプ３→段間同調回路４の信号ラインを通じてミキサ回路５に供給される。また、局部発振回路６において、所定の周波数の局部発振信号ＳLOが形成され、この信号ＳLOがミキサ回路５に供給される。
【００１１】
こうして、ミキサ回路５において、受信信号ＳD 、ＳA は、局部発振信号ＳLOにより周波数変換され、図４Ｂに示すように、信号ＳA のキャリア周波数ｆRXが所定の中間周波数ｆIFとなる中間周波信号ＳAI、ＳDIに変換され、この中間周波信号ＳAI、ＳDIがバンドパスフィルタ７に供給される。このフィルタ７は、中間周波フィルタとして作用するものであり、図４Ｂに曲線７Ｆで示すように広帯域の通過特性を有する。そして、このフィルタ出力がＡＧＣアンプ８を通じてバンドパスフィルタ９Ａおよびバンドエリミネートフィルタ９Ｄに供給される。
【００１２】
この場合、バンドパスフィルタ９Ａは、隣接妨害波信号を除去するためのものであり、図４Ｃに曲線９ＡＦで示すように、周波数ｆIFを中心周波数とし、中間周波信号ＳAIに対応した通過帯域を有する。したがって、バンドパスフィルタ９Ａからはアナログ放送の中間周波信号ＳAIが取り出される。
【００１３】
また、バンドエリミネートフィルタ９Ｄは、アナログ中間周波信号ＳAIを減衰させるためのものであり、図４Ｄに曲線９ＤＦで示すように、周波数ｆIFを中心周波数とし、中間周波信号ＳAIの帯域を阻止帯域とするものである。したがって、バンドエリミネートフィルタ９Ｄからはデジタル放送の中間周波信号ＳDIが取り出される。
【００１４】
したがって、アナログ放送だけが放送されているとき、あるいはアナログ放送およびデジタル放送の両方が放送されているとき、バンドパスフィルタ９Ａから出力される中間周波信号ＳAIから復調を行えば、アナログ放送を聞くことができる。
【００１５】
また、デジタル放送だけが放送されているとき、あるいはアナログ放送およびデジタル放送の両方が放送されているとき、バンドエリミネートフィルタ９Ｄから出力される中間周波信号ＳDIからデコードを行えば、デジタル放送を聞くことができる。
【００１６】
したがって、図５の受信機によれば、ＩＢＯＣ方式におけるアナログ放送とデジタル放送とのどちらでも聞くことができる。また、将来、デジタル放送だけになったときにも、そのまま使用することができる。
【００１７】
ところが、バンドパスフィルタ７は、２つの中間周波信号ＳAI、ＳDIを取り出すものであるから、通過帯域幅が広くなるとともに、隣接するチャンネルからの妨害波信号を除去するためのものである。この結果、バンドパスフィルタ７の比帯域（遮断域と通過帯域との比）は小さくなるので、バンドパスフィルタ７に対する要求が厳しくなり、バンドパスフィルタ７の次数や規模が大きくなってしまう。
【００１８】
さらに、バンドパスフィルタ７に加えてバンドパスフィルタ９Ａおよびバンドエリミネートフィルタ９Ｄも必要とするので、多くのフィルタが必要なり、回路規模の増加による消費電流の増加、受信機の大型化、コストの上昇などを招いてしまう。
【００１９】
この発明は、以上のような問題点を解決しようとするものである。
【００２０】
【課題を解決するための手段】
この発明においては、
アナログ放送の放送波信号とデジタル放送の放送波信号とが隣接して放送される放送システムのための受信機であって、
受信信号を局部発振信号により中間周波信号に周波数変換するミキサ回路と、
このミキサ回路の出力信号から中間周波信号を取り出すフィルタ回路と、
このフィルタ回路により取り出された上記中間周波信号から上記アナログ放送あるいは上記デジタル放送における放送内容の信号を取り出す復調回路と
を有し、
上記局部発振信号の周波数を、
上記アナログ放送の受信時には、その受信するアナログ放送に隣接するデジタル放送の帯域内における周波数とし、
上記デジタル放送の受信時には、その受信するデジタル放送に隣接するアナログ放送のキャリア周波数に等しい周波数とする
ようにした受信機
とするものである。
したがって、アナログ放送はスーパーヘテロダイン方式により受信され、デジタル放送はダイレクトコンバージョン方式により受信される。
【００２１】
【発明の実施の形態】
図１および図２は、この発明を、ＩＢＯＣ方式の受信機に適用した場合の一例を示す。なお、図１および図２は、紙面の都合で、その受信回路を分割して示し、図１の右側が図２の左側に続く。また、図３Ａは、ＩＢＯＣ方式の放送波信号ＳRXを示し、この信号ＳRXは図４Ａにより説明したとおりの信号である。
【００２２】
〔デジタル放送の受信機としての構成および動作〕
デジタル放送の受信時には、図１および図２の受信回路は、ダイレクトコンバージョン方式の受信回路の構成および動作となる。すなわち、ＩＢＯＣ方式の放送波がアンテナ１１により受信され、この受信信号が電子同調方式のアンテナ同調回路１２に供給され、例えば図３Ａに示すように、目的とする周波数の受信信号ＳRXが取り出され（この受信信号ＳRXの中心周波数を周波数ｆRXとする）、この信号ＳRXがＡＧＣ用の可変利得アンプ１３および電子同調方式の段間同調回路１４を通じて第１ミキサ回路１５Ｉ、１５Ｑに供給される。
【００２３】
また、ＰＬＬ３１において所定の周波数の発振信号が形成され、この発振信号が分周回路３２に供給され、図３Ｂに示すように、受信信号ＳRXの中心周波数ｆRXに等しく、かつ、位相が互いに90°異なる２つの信号ＳLO1I、ＳLO1Qに分周され、この信号ＳLO1I、ＳLO1Qがミキサ回路１５Ｉ、１５Ｑに第１局部発振信号として供給される。
【００２４】
こうして、ミキサ回路１５Ｉ、１５Ｑにおいて、受信信号ＳRXは、図３Ｄに示すように、もとの中心周波数ｆRXが０となる中間周波信号（ベースバンド信号）ＳIF1I、ＳIF1Qに周波数変換される。
【００２５】
この場合、受信信号ＳRXの中心周波数ｆRXと、第１局部発振周波数ｆRXとが等しいので、図３Ｄに示すように、中間周波信号Ｓ1I、Ｓ1Qにおいては、受信信号ＳRXのうち、中心周波数ｆRXよりも低域側の信号成分と、中心周波数ｆRXよりも高域側の信号成分とが重なる。
【００２６】
また、中間周波信号ＳIF1Iは、デジタル放送信号ＳD から周波数変換された中間周波信号ＳDIと、アナログ放送信号ＳA から周波数変換された信号ＳAXとを有する。さらに、中間周波信号ＳIF1Qは、デジタル放送信号ＳD から周波数変換された中間周波信号ＳDQと、アナログ放送信号ＳA から周波数変換された信号ＳAXとを有する。そして、中間周波信号ＳDI、ＳDQの中心周波数は周波数Δｆとなっている。また、このとき、また、信号Ｓ1I、Ｓ1Qは、Ｉ軸およびＱ軸の直交信号である。
【００２７】
さらに、このとき、ＰＬＬ３１から、そのＶＣＯ（図示せず）の可変容量ダイオードに供給される制御電圧の一部が取り出され、この制御電圧が同調回路１２、１４に同調電圧として供給され、受信信号ＳRXに対する同調が実現される。
【００２８】
そして、ミキサ回路１５Ｉ、１５Ｑからの中間周波信号ＳIF1I、ＳIF1Qが、バンドパスフィルタ１６Ｉ、１６Ｑに供給される。このフィルタ１６Ｉ、１６Ｑは、第１中間周波フィルタとして作用するものであり、図３Ｄに曲線６Ｆで示すように、中間周波数Δｆを中心周波数とし、中間周波信号ＳDI、ＳDQ（および後述するように、アナログ放送受信時の中間周波信号ＳAI、ＳAQ）の占有帯域を通過帯域とするものである。
【００２９】
したがって、中間周波信号ＳIF1I、ＳIF1Qは、フィルタ１６Ｉ、１６Ｑにおいて、信号ＳAXや隣接妨害波信号のように帯域外の不要な信号成分が除去され、フィルタ１６Ｉ、１６Ｑからは中間周波信号ＳDI、ＳDQが、その出力信号Ｓ1I、Ｓ1Qとして取り出される。
【００３０】
続いて、フィルタ１６Ｉ、１６Ｑからの中間周波信号Ｓ1I、Ｓ1Q（＝ＳDI、ＳDQ）が、ＡＧＣ用の可変利得アンプ１７Ｉ、１７Ｑを通じてＡ／Ｄコンバータ回路２１Ｉ、２１Ｑに供給されてデジタル中間周波信号Ｓ1I、Ｓ1QにＡ／Ｄ変換され、このＡ／Ｄ変換後の信号Ｓ1I、Ｓ1Qが第２ミキサ回路（２２ＩＩ、２２ＩＱ）、（２２ＱＱ、２２ＱＩ）に供給される。なお、このミキサ回路２２ＩＩ〜２２ＱＩおよびその後段は、実際にはＤＳＰにより構成されるものであるが、図２においては、アナログ回路により等価的に示している。
【００３１】
また、第２局部発振回路３６において、第１局部発振信号ＳLO1I、ＳLO1Qの周波数ドリフト分に等しいで周波数で、位相が互いに90°異なる第２局部発振信号ＳLO2I、ＳLO2Qが形成され、これら信号ＳLO2I、ＳLO2Qが、ミキサ回路２２ＩＩ、２２ＱＱに供給される。
【００３２】
したがって、ミキサ回路２２ＩＩ、２２ＱＱにおいて、中間周波信号Ｓ1I、Ｓ1Qは、周波ドリフトの除去されたベースバンド信号、すなわち、中間周波数が０の第２中間周波信号ＳII、ＳQQに周波数変換される。なお、このとき、例えば、中間周波信号ＳII、ＳQQに含まれる希望波信号成分は互いに同相になり、信号ＳII、ＳQQに含まれるイメージ信号成分は互いに逆相になる。
【００３３】
そこで、この中間周波信号ＳII、ＳQQが加算回路２３Ｉに供給され、イメージ信号成分が相殺されて希望波信号成分だけを有する第２中間周波信号Ｓ2Iが取り出される。
【００３４】
また、第２局部発振回路３６からの第２局部発振信号ＳLO2Q、ＳLO2Iが、ミキサ回路２２ＩＱ、２２ＱＩに供給され、ミキサ回路２２ＩＱ、２２ＱＩにおいて、中間周波信号Ｓ1I、Ｓ1Qは、周波数ドリフトが除去され、中間周波数が０の第２中間周波信号ＳIQ、ＳQIに周波数変換される。この場合、例えば、中間周波信号ＳIQ、ＳQIに含まれる希望波信号成分は互いに逆相になり、信号ＳIQ、ＳQIに含まれるイメージ信号成分は互いに同相になる。
【００３５】
そこで、この中間周波信号ＳIQ、ＳQIが減算回路２３Ｑに供給され、イメージ信号成分が相殺されて希望波信号成分だけを有する第２中間周波信号Ｓ2Qが取り出される。なお、この場合、中間周波信号Ｓ2I、Ｓ2Qは、それらの中間周波数は互いに０であるが、位相は互いに90°異なり、Ｉ軸およびＱ軸の直交信号である。
【００３６】
続いて、これら中間周波信号Ｓ2I、Ｓ2Qが、帯域外の不要な信号成分を除去するためのローパスフィルタ２４Ｉ、２４Ｑを通じて復調回路２５に供給される。この復調回路２５は、デジタル放送の受信時には、そのデジタル放送の送信時の変調処理に対応して、複素フーリエ変換、周波数デインターリーブ、タイム・デインターリーブ、複数のチャンネルのうちの目的とするチャンネルのデジタルオーディオデータの選択、エラー訂正およびデータ伸長などのデコード処理を行うものである。
【００３７】
したがって、復調回路２５からは、複数の番組（チャンネル）のうちの目的とする番組のデジタルオーディオデータが取り出される。そして、このデジタルオーディオデータがＤ／Ａコンバータ回路２６に供給されてステレオのオーディオ信号Ｌ、Ｒが取り出される。
【００３８】
また、このとき、アンプ１７Ｉ、１７Ｑからの中間周波信号Ｓ1I、Ｓ1QがＡＧＣ検波回路３５に供給されてＡＧＣ電圧Ｖ35が形成され、このＡＧＣ電圧Ｖ35が可変利得アンプ１７Ｉ、１７Ｑに利得の制御信号として供給される。
【００３９】
さらに、ミキサ回路１５Ｉ、１５Ｑからの中間周波信号Ｓ1I、Ｓ1QがＡＧＣ検波回路３３に供給されて遅延ＡＧＣ電圧Ｖ33が形成され、このＡＧＣ電圧Ｖ33が加算回路３４に供給されるとともに、ＡＧＣ電圧Ｖ35が加算回路３４に供給される。そして、加算回路３４からはＡＧＣ電圧Ｖ33、Ｖ35の加算電圧Ｖ34が取り出され、この電圧Ｖ34が可変利得アンプ１３に利得の制御信号として供給される。
【００４０】
したがって、ＡＧＣ電圧Ｖ34により同調回路１２からの受信信号ＳRXに対してＡＧＣが行われるとともに、ＡＧＣ電圧Ｖ35によりバンドパスフィルタ１６Ｉ、１６Ｑからの中間周波信号Ｓ1I、Ｓ1Qに対してＡＧＣが行われる。
【００４１】
したがって、デジタル放送だけが放送されているとき、あるいはアナログ放送およびデジタル放送の両方が放送されているとき、そのデジタル放送を聞くことができる。
【００４２】
〔アナログ放送の受信機としての構成および動作〕
アナログ放送（ＦＭ放送）の受信時には、図１および図２の受信回路は、ダブルスーパーヘテロダイン方式の受信回路の構成および動作となる。すなわち、ＩＢＯＣ方式の放送波がアンテナ１１により受信され、その受信信号が電子同調方式のアンテナ同調回路１２に供給され、例えば図３Ａに示すような目的とする周波数の受信信号ＳRXが取り出され、この受信信号ＳRXがＡＧＣ用の可変利得アンプ１３および電子同調方式の段間同調回路１４を通じて第１ミキサ回路１５Ｉ、１５Ｑに供給される。
【００４３】
また、ＰＬＬ３１において所定の周波数の発振信号が形成され、この発振信号が分周回路３２に供給されて、図３Ｃに示すように、受信信号ＳRXのキャリア周波数ｆRXよりも所定の周波数Δｆ（例えば、Δｆ＝150 ｋHz）だけ低く、かつ、位相が互いに90°異なる２つの信号ＳLO1I、ＳLO1Qに分周される。この場合、分周信号ＳLO1I、ＳLO1Qの周波数ｆLO（＝ｆRX−Δｆ）は、受信信号ＳRXのうちのアナログ放送信号ＳA よりも低域側のデジタル放送信号ＳD の中心周波数に等しくされる。
【００４４】
そして、この分周信号ＳLO1I、ＳLO1Qがミキサ回路１５Ｉ、１５Ｑに第１局部発振信号として供給される。したがって、ミキサ回路１５Ｉ、１５Ｑにおいて、受信信号ＳRXは第１中間周波信号ＳIF1I、ＳIF1Qに周波数変換される。
【００４５】
この場合、図３Ｅに示すように、中間周波信号ＳIF1Iは、アナログ放送信号ＳA から周波数変換された中間周波信号ＳAIと、デジタル放送信号ＳD から周波数変換された信号ＳDXとを有する。また、中間周波信号ＳIF1Qは、アナログ放送信号ＳA から周波数変換された中間周波信号ＳAQと、デジタル放送信号ＳD から周波数変換された信号ＳDXとを有する。
【００４６】
さらに、中間周波信号ＳIF1I、ＳIF1Qに含まれる中間周波信号ＳAI、ＳAQの中間周波数は周波数Δｆとなっている。また、受信信号ＳRXにおいて信号ＳA よりも低域側に位置する信号ＳD は、中間周波信号ＳIF1I、ＳIF1Qにおいては、周波数０の位置を中心に折り返されていることになる。さらに、中間周波信号ＳIF1I、ＳIF1Qは、Ｉ軸およびＱ軸の直交信号である。
【００４７】
また、ＰＬＬ３１から、そのＶＣＯの可変容量ダイオードに供給される制御電圧の一部が取り出され、この制御電圧が同調回路１２、１４に同調電圧として供給され、受信信号ＳRXに対する同調が実現される。
【００４８】
そして、ミキサ回路１５Ｉ、１５Ｑからの中間周波信号ＳIF1I、ＳIF1Qが、バンドパスフィルタ１６Ｉ、１６Ｑに供給される。このフィルタ１６Ｉ、１６Ｑは、上述のように、第１中間周波フィルタとして作用するものであり、図３Ｄおよび図３Ｅに曲線６Ｆで示すように、中間周波数Δｆを中心周波数とし、アナログ中間周波信号ＳAI、ＳAQ（およびデジタル中間周波信号ＳDI、ＳDQ）の占有帯域を通過帯域とするものである。
【００４９】
したがって、中間周波信号ＳIF1I、ＳIF1Qは、フィルタ１６Ｉ、１６Ｑにおいて、信号ＳDXや隣接妨害波信号のように帯域外の不要な信号成分が除去され、フィルタ１６Ｉ、１６Ｑからは中間周波信号ＳAI、ＳAQが、その出力信号Ｓ1I、Ｓ1Qとして取り出される。
【００５０】
続いて、フィルタ１６Ｉ、１６Ｑからの中間周波信号Ｓ1I、Ｓ1Q（＝ＳAI、ＳAQ）が、ＡＧＣ用の可変利得アンプ１７Ｉ、１７Ｑを通じてＡ／Ｄコンバータ回路２１Ｉ、２１Ｑに供給されてデジタル信号Ｓ1I、Ｓ1QにＡ／Ｄ変換されてから第２ミキサ回路２２ＩＩ〜２２ＱＩに供給される。また、このとき、第２局部発振信号ＳLO2I、ＳLO2Qの周波数が周波数Δｆ（＝150 ｋHz）とされる。
【００５１】
こうして、上述のデジタル放送の受信時と同様、中間周波信号Ｓ1I、Ｓ1Qは、ベースバンドの第２中間周波信号Ｓ2I、Ｓ2Qに周波数変換され、ローパスフィルタ２４Ｉ、２４Ｑを通じて復調回路２５に供給される。そして、復調回路２５において、その一部を兼用することによりＦＭ放送におけるステレオのオーディオ信号がデジタル信号の状態で復調され、この信号がＤ／Ａコンバータ回路２６に供給されてＦＭ放送におけるオーディオ信号Ｌ、Ｒが取り出される。
【００５２】
また、このとき、回路３３〜３５によりデジタル放送の受信時と同様にＡＧＣ電圧Ｖ34、Ｖ35が形成されてＡＧＣが実行される。
【００５３】
したがって、アナログ放送だけが放送されているとき、あるいはアナログ放送およびデジタル放送の両方が放送されているとき、そのアナログ放送を聞くことができる。
【００５４】
〔デジタル放送およびアナログ放送に共通の構成〕
バンドパスフィルタ１６Ｉ、１６Ｑおよびローパスフィルタ２４Ｉ、２４Ｑは、抵抗器、コンデンサおよびオペアンプを有するアクティブフィルタ回路により構成される。
【００５５】
また、図１に示す回路が、同調回路１２、１４およびＰＬＬ３１のＶＣＯの共振回路を除いて１チップＩＣ化され、図２に示す回路も、第２局部発振回路３６の共振回路を除いて１チップＩＣ化される。
【００５６】
〔まとめ〕
図１および図２の受信回路はＩＢＯＣ方式におけるデジタル放送およびアナログ放送聞くことができるが、デジタル放送の受信はダイレクトコンバージョン方式としているので、原理的にイメージ信号を生じることがなく、したがって、必要なイメージ妨害特性を得ることができる。また、隣接妨害波信号はバンドパスフィルタ１６Ｉ、１６Ｑにより除去することができる。
【００５７】
さらに、アナログ放送の受信は、ダブルスーパーヘテロダインにおける２回の直交周波数変換によりイメージ信号成分を除去しているので、必要なイメージ妨害特性を得ることができる。また、隣接妨害波信号はバンドパスフィルタ１６Ｉ、１６Ｑにより除去することができる。したがって、図１および図２の受信回路はＩＢＯＣ方式におけるデジタル放送およびアナログ放送のどちらも、イメージ妨害特性および隣接妨害特性に優れた受信を行うことができる。
【００５８】
また、ダイレクトコンバージョン処理あるいはダブルスーパーヘテロダイン処理によりデジタル放送あるいはアナログ放送の受信時のイメージ妨害特性を改善しているので、上述のように中間周波数を低くすることができ、したがって、中間周波フィルタ用のフィルタ１６Ｉ、１６Ｑを含んで受信回路をＩＣ化することができる。しかも、ＩＣ化するとき、すべての回路を共用することができるので、小型化ができるとともに、低価格化ができる。
【００５９】
さらに、第１ミキサ回路１５Ｉ、１５Ｑから後段のメインの信号ラインの扱う周波数帯域幅が、デジタル放送の受信時でもアナログ放送の受信時でも同じであり、さらに、信号ラインを切り換える必要がないので、信号処理やＩＣの設計が容易になる。
【００６０】
また、バンドパスフィルタ１６Ｉ、１６Ｑは、中間周波信号ＳIF1I、ＳIF1Qから信号ＳDIあるいは信号ＳAIを取り出す特性であって、その比帯域が小さくならないので、バンドパスフィルタ１６Ｉ、１６Ｑの次数や規模が大きくなることがない。
【００６１】
さらに、バンドパスフィルタ１６Ｉ、１６Ｑが、デジタル放送の受信時の中間周波信号ＳDIと、アナログ放送受信時の中間周波信号ＳAIに対して共通なので、回路規模を小さくすることができ、消費電流の低減、受信機の小型化、コストの低減などに有利になる。
【００６２】
また、将来、アナログ放送波信号ＳA を停波してアナログ放送波信号ＳA の周波数帯域をデジタル放送に使用する場合にも、バンドパスフィルタ１６Ｉ、１６Ｑの通過帯域を変更するだけで、そのデジタル放送の専用受信機として対応することができる。
【００６３】
なお、上述において、加算回路２３Ｉおよび減算回路２３Ｑから出力される第２中間周波信号Ｓ2I、Ｓ2Qを、デジタル放送の受信時と、アナログ放送の受信時とで、別個の回路により処理することもできる。また、デジタル音声放送として、ＯＦＤＭ、ＣＤＭなどの帯域拡散方式の放送あるいはＱＰＳＫ、ＱＡＭ、ＡＰＳＫなどの変調方式の放送を受信する場合であれば、この発明を適用することができる。
【００６４】
【発明の効果】
この発明によれば、アナログ放送やデジタル放送を受信するとき、必要なイメージ妨害特性および隣接妨害波特性を得ることができる。また、中間周波数を低くすることができ、中間周波フィルタを含んで受信回路をＩＣ化することができる。しかも、ＩＣ化するとき、ほとんどの回路を共用することができ、小型化ができるとともに、低価格化ができる。
【００６５】
さらに、メインの信号ラインの扱う周波数帯域幅が、デジタル放送の受信時でもアナログ放送の受信時でも同じであり、信号処理が容易である。また、目的とする中間周波信号を取り出すためのバンドパスフィルタの比帯域が小さくならないので、そのバンドパスフィルタの次数や規模が大きくなることがない。
【００６６】
また、将来、アナログ放送波信号を停波して放送波信号の周波数帯域をデジタル放送に使用する場合にも、バンドパスフィルタの通過帯域を変更するだけで、そのデジタル放送の専用受信機として対応することができる。
【図面の簡単な説明】
【図１】この発明の一形態の一部を示す系統図である。
【図２】この発明の一形態の続きを示す系統図である。
【図３】この発明を説明するための特性図である。
【図４】この発明を説明するための特性図である。
【図５】この発明を説明するための系統図である。
【符号の説明】
１１…アンテナ、１２…アンテナ同調回路、１３…可変利得アンプ、１４…段間同調回路、１５Ｉおよび１５Ｑ…第１ミキサ回路、１６Ｉおよび１６Ｑ…バンドパスフィルタ、１７Ｉおよび１７Ｑ…可変利得アンプ、２１Ｉおよび２１Ｑ…Ａ／Ｄコンバータ回路、２２ＩＩ〜２２ＱＱ…第２ミキサ回路、２３Ｉ…加算回路、２３Ｑ…減算回路、２４Ｉおよび２４Ｑ…ローパスフィルタ、２５…復調回路、２６…Ｄ／Ａコンバータ回路、３１…ＰＬＬ、３２…分周回路、３３…ＡＧＣ検波回路、３４…加算回路、３５…ＡＧＣ検波回路、３６…第２局部発振回路
【図１】
0004099618.tif 000002
【図２】
0004099618.tif 000003
【図３】
0004099618.tif 000004
【図４】
0004099618.tif 000005
【図５】
0004099618.tif 000006